(57)【要約】【課題】課金単価の不一致を防止することが可能な画像形成装置を提供する。【解決手段】単価テーブルを備えた課金装置が接続され、その課金装置に記憶された単価テーブルとは別の単価テーブルを記憶する単価テーブル記憶手段を備えた複合機において、ユーザにより複合機と課金装置とが通信可能になった際に、課金装置の単価テーブルと自装置の単価テーブルとに記憶されたそれぞれの条件および単価が全て一致するか否かを判別する単価テーブル判別手段４０２と、複合機と課金装置との単価テーブル相互に一致しない条件または単価が判別された場合、複合機の単価テーブルと課金装置の単価テーブルのうち、いずれか一方の選択を受け付ける単価テーブル選択受付手段４０８と、受け付けた一方の単価テーブルと同一の単価テーブルに、他方の単価テーブルを変更する単価テーブル変更手段４０９とを備えることを特徴とする複合機を提供する。【選択図】図４
2009233940.tif 000002
【特許請求の範囲】
【請求項１】
自装置が提供可能な処理に関する条件と、その条件に従って処理を提供した際に発生する単価とを関連付けた単価テーブルを記憶する記憶手段を備えた課金装置が接続され、その課金装置に記憶された単価テーブルとは別の単価テーブルを記憶する単価テーブル記憶手段を備えた画像形成装置において、
ユーザにより自装置と課金装置とが通信可能になった際に、課金装置の単価テーブルと自装置の単価テーブルとに記憶されたそれぞれの条件および単価が全て一致するか否かを判別する単価テーブル判別手段と、
自装置の単価テーブルと課金装置の単価テーブルとの相互間に一致しない条件または単価が判別された場合、自装置の単価テーブルと課金装置の単価テーブルのうち、変更対象となる、いずれか一方の単価テーブルの選択をユーザから受け付ける単価テーブル選択受付手段と、
受け付けた一方の単価テーブルと同一の単価テーブルに、他方の単価テーブルを変更する単価テーブル変更手段と、
を備えることを特徴とする画像形成装置。
【請求項２】
さらに、自装置の単価テーブルの変更をユーザから受け付ける単価テーブル変更受付手段を備え、
上記単価テーブル判別手段は、自装置の単価テーブルが変更された際に、その自装置の単価テーブルと課金装置の単価テーブルとに記憶されたそれぞれの条件および単価が全て一致するか否かを判別することを特徴とする請求項１に記載の画像形成装置。
【請求項３】
さらに、課金装置の単価テーブルがユーザにより変更されたことを検知する単価テーブル変更検知手段を備え、
上記単価テーブル判別手段は、課金装置の単価テーブルの変更が検知された際に、自装置の単価テーブルと、変更された課金装置の単価テーブルとに記憶されたそれぞれの条件および単価が全て一致するか否かを判別することを特徴とする請求項１に記載の画像形成装置。
【発明の詳細な説明】
【技術分野】
【０００１】
本発明は、画像形成装置に関し、詳しくは、課金単価の不一致を防止することが可能な画像形成装置に関する。
【背景技術】
【０００２】
貨幣などの金員を課金装置に投入することにより、画像形成処理等を実行するコインベンダ式の画像形成装置（課金装置付きの画像形成装置）が市場に登場している。上記画像形成装置は、例えば、複写機、プリンタ、ファクシミリ、複合機等が該当し、コンビニエンスストアや公共施設等に設置され、不特定多数の人に多く利用されている。
【０００３】
この課金装置付き画像形成装置は金員を授受するため、通常、授受した金員の詳細を示す領収書（レシートを含む）を発行するよう構成されている。発行される領収書には、投入した金員に関連する情報である金員情報（領収書の明細に該当する部分）と、課金装置付き画像形成装置の設置店、業者のロゴに関する画像、店舗名、業者名、住所、電話番号等の領収書情報とが印字されており、その領収書により、どれくらいの金員を支払ったか、何処で何部の印刷を行ったかが一目で認識できる。
【０００４】
上記金員情報には、例えば、投入金額、画像形成装置の処理単価、処理実行数、支払金額、残金等が含まれており、これらの金額を換算する場合、画像形成装置または課金装置は、予め記憶されている単価テーブルに基づいて換算を実行している。なお、上記単価テーブルには、例えば、画像形成装置が提供可能な処理に関する条件と、その条件に従い処理を提供した際に発生する単価とを関連付けて記憶されている。
【０００５】
上記単価テーブルは、製造業者側の都合により画像形成装置と課金装置とは別個に製造される実態から、画像形成装置と課金装置とにそれぞれ同一の単価テーブルを記憶させて、上述した金員情報の換算、領収書の発行を行なっていた経緯がある。
【０００６】
金員情報の換算方法と領収書の発行方法について簡単に説明する。例えば、ユーザが所定の処理条件を画像形成装置側に入力すると、単価テーブルに基づいて、その処理条件に対応する単価情報が課金装置に送信され、課金装置が、その単価情報を支払金額に加えるとともに、当該単価情報と単価テーブルとに基づいて処理条件を検索し、その単価情報に該当する処理条件を一時記憶する。領収書を発行する場合は、課金装置が、積算された支払金額と一時記憶された処理条件とに基づいて領収書の作成・発行を行なうこととなる。上記構成では、単価情報とのやり取りにて行なわれているが、単価情報に加えて入力された処理条件に基づきやり取りを実行しても構わない。
【発明の開示】
【発明が解決しようとする課題】
【０００７】
しかしながら、従来技術では、例えば、物価上昇を契機に、単価テーブルを変更・更新する場合、画像形成装置と課金装置とにそれぞれ変更・更新された同一の単価テーブルを記憶させる必要がある。そのため、例えば、変更・更新を行なうサービスマンが、どちらか一方の単価テーブルを更新し損ねた場合、画像形成装置で受け付けた処理条件に対応しない単価が発生するという問題がある。また、記憶されている単価テーブル相互の内容が視認できないという側面から、一方の単価テーブルを変更・更新し損ねる可能性が高いという実態もある。
【０００８】
さらに、一度、画像形成装置の単価テーブルと、課金装置の単価テーブルとに不一致が生じると、単価テーブル相互の内容が直ちに確認できないという側面から、その不一致が放置されるという問題がある。その場合、誤った単価でユーザが金員を支払い続けたり、誤った条件で領収書が発行されたりという弊害が生まれ、画像形成装置の設置者、管理者側の責任問題にもなりかねない。
【０００９】
そこで、本発明は、上記問題を解決するためになされたものであり、課金単価の不一致を防止することが可能な画像形成装置を提供することを目的とする。
【課題を解決するための手段】
【００１０】
上述した課題を解決し、目的を達成するために、画像形成装置が提供可能な処理に関する条件と、その条件に従って処理を提供した際に発生する単価とを関連付けた単価テーブルを記憶する記憶手段を備えた課金装置が接続され、その課金装置に記憶された単価テーブルとは別の単価テーブルを記憶する単価テーブル記憶手段を備えた画像形成装置において、ユーザにより画像形成装置と課金装置とが通信可能になった際に、課金装置の単価テーブルと画像形成装置の単価テーブルとに記憶されたそれぞれの条件および単価が全て一致するか否かを判別する単価テーブル判別手段と、画像形成装置の単価テーブルと課金装置の単価テーブルとの相互間に一致しない条件または単価が判別された場合、画像形成装置の単価テーブルと課金装置の単価テーブルのうち、変更対象となる、いずれか一方の単価テーブルの選択をユーザから受け付ける単価テーブル選択受付手段と、受け付けた一方の単価テーブルと同一の単価テーブルに、他方の単価テーブルを変更する単価テーブル変更手段とを備える。
【００１１】
画像形成装置が提供可能な処理は、例えば、コピー処理、ファクシミリ送信処理、プリント処理、スキャン処理、ネットワークスキャン処理、メモリ処理、後処理等が適用される。上記ネットワークスキャン処理とは、ＰＣ等にて加工可能な画像データを、ネットワーク上で接続されているＰＣ等に送信する処理のことである。また、メモリ処理とは、読み取った画像データを所定のデータ量で保存しておく機能のことであり、後処理とは、印刷されたシートに、パンチ、ステープル、製本処理等を施すことである。
【００１２】
処理に関する条件とは、例えば、コピー処理であれば、モノクロ読取（グレースケール読取ともいう）、カラー読取、２値読取などの画像読取に関する詳細条件や、Ａ４シート、Ａ５シート、Ｂ４シートなどの印字用紙のサイズに関する詳細条件等が挙げられる。
【００１３】
単価とは、製造業者、画像形成装置の設置者、管理者等が任意に決定する一処理の価格である。
【００１４】
ユーザにより画像形成装置と課金装置とが通信可能になった際とは、例えば、ユーザが画像形成装置と課金装置とを接続した際、画像形成装置および課金装置に電源を投入した際等が挙げられる。
【００１５】
画像形成装置の単価テーブルと課金装置の単価テーブルとに記憶された条件および単価が全て一致するか否かを判別する方法は、例えば、課金装置の単価テーブルと画像形成装置の単価テーブルとにそれぞれ記憶されている条件および単価の相互を、一つ一つ比較し、一致しているか否かについて判別する方法等が挙げられる。なお、上記方法では、全ての条件および単価について判別を行なうこととなる。
【００１６】
画像形成装置の単価テーブルと課金装置の単価テーブルのうち、変更対象となる、いずれか一方の選択を受け付ける方法は、例えば、画像形成装置に備えられたタッチパネル上にそれぞれの単価テーブルを表示させて、その単価テーブルの選択を要求する方法等が挙げられる。
【００１７】
受け付けた一方の単価テーブルと同一の単価テーブルに、他方の単価テーブルを変更する方法は、例えば、選択された画像形成装置の単価テーブルの情報を利用して、課金装置の単価テーブルの情報を全て画像形成装置の単価テーブルの情報に書き換え・変更する方法等が挙げられる。
【００１８】
さらに、画像形成装置の単価テーブルの変更をユーザから受け付ける単価テーブル変更受付手段を備え、上記単価テーブル判別手段は、画像形成装置の単価テーブルが変更された際に、その画像形成装置の単価テーブルと課金装置の単価テーブルとに記憶されたそれぞれの条件および単価が全て一致するか否かを判別するよう構成することができる。
【００１９】
画像形成装置の単価テーブルの変更をユーザから受け付ける方法は、例えば、画像形成装置に備えられたタッチパネル上に画像形成装置の単価テーブルを表示させて、ユーザの操作により、その単価テーブル上の条件または単価を書き換え・変更させて、その変更を受け付ける方法等が挙げられる。
【００２０】
さらに、課金装置の単価テーブルがユーザにより変更されたことを検知する単価テーブル変更検知手段を備え、上記単価テーブル判別手段は、課金装置の単価テーブルの変更が検知された際に、画像形成装置の単価テーブルと、変更された課金装置の単価テーブルとに記憶されたそれぞれの条件および単価が全て一致するか否かを判別するよう構成することができる。
【発明の効果】
【００２１】
本発明の用紙搬送装置によれば、ユーザにより自装置と課金装置とが通信可能になった際に、課金装置の単価テーブルと画像形成装置の単価テーブルとに記憶されたそれぞれの条件および単価が全て一致するか否かを判別し、画像形成装置の単価テーブルと課金装置の単価テーブルとの相互間に一致しない条件または単価が判別された場合、画像形成装置の単価テーブルと課金装置の単価テーブルのうち、変更対象となる、いずれか一方の単価テーブルの選択をユーザから受け付け、受け付けた一方の単価テーブルと同一の単価テーブルに、他方の単価テーブルを変更するよう構成している。
【００２２】
これにより、画像形成装置の単価テーブルまたは課金装置の単価テーブルのうち、一方を変更・更新し損ねた場合であっても、画像形成装置と課金装置とが通信可能となった際に、随時単価テーブルの変更・更新を判別し、その変更・更新された場合にユーザに単価テーブルを統一するよう受け付けるため、単価テーブル相互の不一致を防止することが可能となる。その結果、不一致状態の放置を防止し、その不一致状態から生じるトラブル等を排除することが可能となる。
【００２３】
さらに、画像形成装置の単価テーブルの変更をユーザから受け付け、画像形成装置の単価テーブルが変更された際に、その画像形成装置の単価テーブルと課金装置の単価テーブルとに記憶されたそれぞれの条件および単価が全て一致するか否かを判別するよう構成することができる。
【００２４】
これにより、画像形成装置の単価テーブルの変更と対応させて、課金装置の単価テーブルと一致するか否かを判別するため、一方の単価テーブルを変更・更新し損ねるという可能性を排除し、単価テーブルの不一致状態から生じるトラブルを一切排除することが可能となる。また、変更・更新を実行するサービスマンの手間等を解消することも可能となる。
【００２５】
さらに、課金装置の単価テーブルがユーザにより変更されたことを検知し、課金装置の単価テーブルの変更が検知された際に、画像形成装置の単価テーブルと、変更された課金装置の単価テーブルとに記憶されたそれぞれの条件および単価が全て一致するか否かを判別するよう構成することができる。
【００２６】
これにより、課金装置の単価テーブルの変更と対応させて、画像形成装置の単価テーブルと一致するか否かを判別するため、上記と同様、一方の単価テーブルを変更・更新し損ねるという可能性を排除することが可能となる。
【発明を実施するための最良の形態】
【００２７】
以下に、添付図面を参照して、本発明の画像形成装置の実施形態について説明し、本発明の理解に供する。尚、以下の実施形態は、本発明を具体化した一例であって、本発明の技術的範囲を限定する性格のものではない。また、フローチャートにおける数字の前に付されたアルファベット「Ｓ」はステップを意味する。
【００２８】
＜画像形成装置＞
以下に、本発明に係る画像形成装置について説明する。
【００２９】
図１は、課金装置が接続された画像形成装置の概略模式図である。ただし、本発明に直接には関係しない各部の詳細は省略している。
【００３０】
なお、本発明の画像形成装置は、例えばプリンタやスキャナ単体、あるいはプリンタ、コピー、スキャナ、ファックス等を備えた複合機等が該当し、コピーサービス、スキャナサービス、ファクシミリサービス、プリンタサービス等の処理を実行する画像形成装置として機能する。以下に、例えばコピーサービスを利用する場合の複合機１００の動作を簡単に説明する。
【００３１】
ユーザが、例えば原稿Ｐのコピーサービスを実現する場合、原稿Ｐを複合機１００に備えられている原稿台１０１に載置し、課金装置２００に設けられたコイン投入口２０１に所定数の金員を投入する。すると、課金装置２００がケーブル１０９ａを介して、複合機２００の原稿台１０１近傍に設けられた操作部１０２が入力可能、すなわちコピーサービス提供可能な状態とする。操作部１０２には、複合機１００が提供する機能に関連する複数の機能項目が画面に表示されるため、ユーザはその画面を見ながら、自己の意図に沿ったコピーサービスに関する処理条件の入力を行なう。
【００３２】
処理条件の入力が終了後、ユーザは操作部１０２に設けられたスタートキーを押下して、複合機１００に印刷処理を開始させる。印刷処理が開始されると、画像読取部１０３において、光源１０４から照射された光が、原稿台１０１に置かれた原稿Ｐに反射される。反射された光は、ミラー１０５、１０６、１０７によって撮像素子１０８に導かれる。導かれた光は撮像素子１０６により光電変換されて、原稿Ｐの画像が、基本的な補正処理、画質処理、圧縮処理等を施され、画像データとなる。ここで、画像データは、複合機１００に接続された通信ケーブル１０９ｂを介して他機から当該複合機１００に受信される場合や原稿台１０１に設けられた自動原稿給送装置によって読み取られる場合もある。
【００３３】
さて、画像データが生成されると、当該画像データは画像形成部１１０に送られ、伸張処理を施され、トナー像として転写されることとなる。画像形成部１１０には感光体ドラム１１１が備えられており、当該感光体ドラム１１１は、一定速度で所定の方向に回転し、その周囲には、回転方向の上流側から順に、帯電器１１２、露光ユニット１１３、現像器１１４、転写器１１５、クリーニングユニット１１６などが配置されている。
【００３４】
帯電器１１２は、感光体ドラム１１１の表面を一様に帯電させる。露光ユニット１１３は、帯電された感光体ドラム１１１の表面に、画像データに基づいてレーザーを照射し、静電潜像を形成する。現像器１１４は、搬送された静電潜像に、トナーを付着させてトナー像を形成する。形成されたトナー像は、転写器１１５により、記録媒体（例えば、シート）に転写される。クリーニングユニット１１６は、感光体ドラム１１１の表面に残された余分なトナーを取り除く。これらの一連のプロセスは、感光体ドラム１１１が回転することにより実行される。
【００３５】
上述したシートは、複合機１００に備えられた複数の給紙カセット１１７から搬送される。搬送される時に、シートはピックアップローラ１１８により、何れか１つの給紙カセット１１７から搬送路へ引き出される。上記各給紙カセット１１７には、それぞれ異なる紙種のシートが収容されており、ユーザが入力した処理条件に基づいてシートが給紙される。
【００３６】
搬送路に引き出されたシートは、搬送ローラ１１９やレジストローラ１２０により感光体ドラム１１１と転写器１１５の間に送り込まれる。送り込まれると、上記シートは上記転写器１１５により上記トナー像が転写され、定着装置１２１に搬送される。尚、搬送ローラ１１９に搬送されるシートは、複合機に備えられた手差しトレイ１２２から搬送される場合もある。
【００３７】
トナー像が転写されたシートが、定着装置１２１に備えられた加熱ローラ１２３と加圧ローラ１２４の間を通過すると、そのトナー像に熱と圧力が印加されて、可視像がシートに定着される。加熱ローラ１２３の熱量は紙種に応じて最適に設定され、上述した定着が適切に行われる。可視像が定着されたシートは、定着装置１２１を経て排出トレイ１２５に排出される。
【００３８】
コピーサービスの提供が終了すると、その処理条件に対応する単価情報がケーブル１０９ａを介して課金装置２００に送信され、課金装置２００によって、その単価情報が支払金額に加えられるとともに、当該単価情報と単価テーブルとに基づいて処理条件が算出され、その単価情報と処理条件とが一時記憶される。
【００３９】
ユーザは課金装置２００のつり銭払い戻しボタン２０２を押下すると、残金に対応する金員がコイン返却口２０３へ払い戻されるとともに、課金装置２００に備えられた領収書プリンタ２０４が駆動して、一時記憶された処理条件等に関する所定の領収書が発行される。
【００４０】
上記手順により、複合機１００はコピーサービスをユーザに提供する。また、複合機１００が他のサービスを提供する場合も、画像読取部１０３と画像形成部１１０とが駆動して提供する。
【００４１】
なお、ユーザの処理条件に従って処理の提供を実行する手段を処理提供手段、課金装置２００に投入された金員等を管理したり、複合機１００の機能提供可能を許可したりする手段を金員情報管理手段、課金装置２００にケーブル１０９ａを介して通信を行なう手段を課金装置通信手段とする（後述する）。
【００４２】
図２は、複合機１００に備えられた操作部１０２の外観の一例を示す図である。ユーザは、上記操作部１０２を用いて、上述のような画像形成についての処理条件等を入力したり、処理条件を確認したり、単価テーブルを変更したりする。処理条件や単価テーブルが入力される場合、上記操作部１０２に備えられたタッチパネル２１１、タッチペン２１２、操作キー２１３が用いられる。
【００４３】
上記タッチパネル２１１には、処理条件を入力したり、単価テーブルを変更したりする機能と、当該処理条件および単価テーブルを表示する機能が兼ね備えられている。すなわち、タッチパネル２１１上に表示された画面内の項目を押下することによって、項目に関連付けられた処理条件、変更命令が入力される。また、入力された処理条件または単価テーブルの変更に連動して項目の背景色が白色から灰色へ変更されるため、項目の背景色によって、入力された処理条件や単価テーブルの変更部分が確認される。
【００４４】
タッチパネル２１１の近傍には、タッチペン２１２が備えられており、ユーザがそのタッチペン２１２の先をタッチパネル２１１に接触させると、タッチパネル２１１下方に設けられたセンサが接触先を検知する。そのため、タッチペン２１２の接触により、表示された項目の選択が可能である。
【００４５】
さらに、タッチパネル２１１近傍には、所定数の操作キー２１３が設けられ、例えば、テンキー２１４、スタートキー２１５、クリアキー２１６、ストップキー２１７、リセットキー２１８、電源キー２１９が備えられている。なお、上記テンキー２１４は、部数や倍率を設定する際に具体的な数字の入力に用いられる。
【００４６】
次に、図３を用いて、複合機１００と課金装置２００との制御系ハードウェアの構成を説明する。図３は、複合機１００と課金装置２００とにおける制御系ハードウェアの概略構成図である。ただし、本発明に直接には関係しない各部の詳細は省略している。
【００４７】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、インターフェイス３０５、各駆動部に対応するドライバ３０６を内部バス３０７によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０６と図示しない操作部１０２からのデータ、指示を授受し、上記図１に示した各駆動部等の動作を制御する。また、上記駆動部以外の後述する各手段（図４に示す）についても、上記ＣＰＵ３０１がプログラムを実行することで当該各手段を実現する。上記ＲＯＭ３０２、ＨＤＤ３０４等には、以下に説明する各手段を実現するプログラムやデータ、単価テーブル等が記憶されている。
【００４８】
インターフェイス３０５は、ケーブル１０９ａを介して、複合機１００と課金装置２００とを接続する。上記ＣＰＵ３０１は、このインターフェイス３０５を通じて、複合機１００とデータや指示を授受し、各駆動部の動作を制御する。
【００４９】
課金装置２００の制御回路は、ＣＰＵ３０８、ＲＯＭ３０９、ＲＡＭ３１０、各駆動部に対応するドライバ３１１、インターフェイス３１２を内部バス３１３によって接続している。上記ＣＰＵ３０８は、上記と同様に、上記ＲＡＭ３１０を作業領域として利用し、上記ＲＯＭ３０９等に記憶されているプログラムを実行し、当該実行結果に基づいて上記ドライバ３１１とデータや指示を授受し、投入金員の計算や残金の払い戻し等を制御する。インターフェイス３１２により、複合機１００とデータや指示が授受される。図３には示していないが、課金装置２００にＨＤＤが具備されていても構わない。
【００５０】
＜第一の実施形態＞
次に図４、図５を参照しながら、第一の実施形態の複合機１００が、課金単価の不一致を防止する手順について説明する。図４は、第一の実施形態の複合機１００の機能ブロック図である。図５は、第一の実施形態の複合機１００の動作を示すためのフローチャートである。
【００５１】
複合機１００と課金装置２００とは、電源供給源が別個独立に存在し、いずれの装置についても最初に電源が投入されておらず、所定の事情により、複合機１００の単価テーブルと課金装置２００の単価テーブルとが一致していないものとする。
【００５２】
まず、ユーザが、複合機１００に電源を投入すると、課金装置通信手段４０１が、課金装置２００と通信可能か否かを検知する。ここでは、まだ課金装置２００には電源が投入されていないため、課金装置通信手段４０１は、通信不可であると検知する（図５：Ｓ１０１）。
【００５３】
さらに、ユーザが課金装置２００に電源を投入すると、複合機１００と課金装置２００とが相互に通信可能となるため、課金装置通信手段４０１は、複合機１００と課金装置２００とが通信可能であることを検知する（図５：Ｓ１０２）。
【００５４】
すると、課金装置通信手段４０１は、単価テーブル判別手段４０２に、複合機１００の単価テーブルと課金装置２００の単価テーブルとの条件および単価が全て一致するか否かを判別する旨の信号を送信する。上記信号を受信した単価テーブル判別手段４０２は、課金装置通信手段４０１を介して、課金装置２００の第一の単価テーブル記憶手段４０３を参照し、その記憶手段４０３に記憶されている課金装置２００の単価テーブルを取得する（図５：Ｓ１０３）。
【００５５】
次に、単価テーブル判別手段４０２は、複合機１００の単価テーブルが記憶されている第二の単価テーブル記憶手段４０４を参照し、その複合機１００の単価テーブルと、先ほど取得した課金装置２００の単価テーブルとにそれぞれ記憶されている条件または単価を、一つ一つ相互に比較し、一致しているか否かについて判別する（図５：Ｓ１０４→Ｓ１０５）。
【００５６】
判別する具体的な方法は、例えば、図６Ａに示すように、課金装置２００の単価テーブル６０１から一の条件「モノクロ  Ａ３」６０２を取得し、その条件「モノクロ  Ａ３」６０２と一致する条件が複合機１００の単価テーブル６０３（図６Ｂ）に記憶されているか検索する。検索した結果、一致する条件「モノクロ  Ａ３」６０２があれば（複合機１００の単価テーブル６０３では、「モノクロ  Ａ３」６０４が存在するため）、次に、課金装置２００の単価テーブル６０１から当該条件「モノクロ  Ａ３」６０２に関連付けられた単価「１０」６０５を取得し、その単価「１０」６０５と、複合機１００の単価テーブル６０３の条件「モノクロ  Ａ３」６０４に関連付けられて記憶されている単価（図６Ｂでは、「１０」６０６）とが一致するか否かを比較することになる（図５：Ｓ１０５ＹＥＳ→Ｓ１０６）。
【００５７】
単価相互を比較した結果、条件「モノクロ  Ａ３」６０２（６０４）の単価相互が一致する場合（図５：Ｓ１０６ＹＥＳ）、課金装置２００の単価テーブル６０１から、従前に取得した条件「モノクロ  Ａ３」６０２以外の一の条件「モノクロ  Ｂ３」６０７を取得し（図５：Ｓ１０７ＮＯ→Ｓ１０８）、上記と同様、その条件「モノクロ  Ｂ３」６０７と一致する条件が複合機１００の単価テーブル６０３に記憶されているか検索することとなる（図５：Ｓ１０８→Ｓ１０５）。
【００５８】
ここで、取得した課金装置２００の単価テーブル６０１の条件（例えば、「モノクロ  Ｂ３」６０７）と複合機１００の単価テーブル６０３の条件（例えば、「モノクロ  Ｂ３」６０８）とは一致するものの、条件（「モノクロ  Ｂ３」６０７（６０８））に関連付けられたそれぞれの単価相互が不一致の場合（課金装置２００の単価テーブル６０１では「１０」６０９、複合機１００の単価テーブル６０３では「２０」６１０）、単価テーブル判別手段４０２は、不一致の単価（「１０」６０９および「２０」６１０）をそれぞれ一時記憶する（図５：Ｓ１０５ＹＥＳ→Ｓ１０６ＮＯ→Ｓ１０９）。そして、他の条件を課金装置２００の単価テーブルから取得し、上述した検索、比較処理を再開する（図５：Ｓ１０７ＮＯ→Ｓ１０８）。
【００５９】
また、取得した課金装置２００の単価テーブル６０１の条件と複合機１００の単価テーブル６０３の条件とが一致しない場合（例えば、課金装置２００の単価テーブル６０１にのみ記憶されている「モノクロ  Ｂ６」６１１がそれに該当する）、単価テーブル判別手段４０２が、一致しない条件および単価（「モノクロ  Ｂ６」６１１および「１０」６１２）を一時記憶する（図５：Ｓ１０５ＮＯ→Ｓ１１０）。そして、上記と同様、検索、比較処理を再開する（図５：Ｓ１０７ＮＯ→Ｓ１０８）。
【００６０】
また、例えば、課金装置２００の単価テーブル６０１に記憶されておらず、複合機１００の単価テーブル６０３にのみ記憶されている条件および単価が存在する場合（例えば、複合機１００の単価テーブル６０３にのみ記憶されている「メール送信」６１３が該当する）、単価テーブル判別手段４０２は、条件相互が不一致と判別し、その条件および単価（「メール送信」６１３および「１０」６１４）も一時記憶する（図５：Ｓ１０５ＮＯ→Ｓ１１０）。
【００６１】
上述した検索・比較処理を全ての条件について実行することによって、複合機１００の単価テーブル６０３と、課金装置２００の単価テーブル６０１との条件または単価が相互に一致するか否かが判別される（図５：Ｓ１０７ＹＥＳ→Ｓ１１１）。なお、上記検索・比較処理をＡ処理（単にＡ）とする。
【００６２】
さて、上記検索、比較処理を完了した結果、単価テーブル判別手段４０２が、課金装置の単価テーブルと複合機の単価テーブルとに記憶されたそれぞれの条件および単価が全て一致すると判別した場合、その旨を初期受付手段４０５に送信し、初期受付手段４０５は、操作部１０２のタッチパネル２１１上に、金員投入を促すメッセージ「コインを投入してください」を表示した金員投入画面を表示することとなる（図５：Ｓ１１１ＹＥＳ→Ｓ１１２）。
【００６３】
この場合、ユーザが金員投入画面を見ながら、課金装置２００のコイン投入口２０１に金員を投入すると、金員情報管理手段４０６が、課金装置通信手段４０１を介して、初期受付手段４０５へ、処理提供を許可する旨の信号を送信し、初期受付手段４０５は、図７Ｃに示すように、コピーサービスの設定入力画面である初期画面をタッチパネル上に表示し、処理提供手段４０７が駆動し、通常の複合機の処理提供可能な状態へと移行することとなる。なお、初期画面が表示される際には、ユーザが投入した金額７０１も表示される。
【００６４】
一方、単価テーブル判別手段４０２が、課金装置２００の単価テーブルと複合機１００の単価テーブルとが相互に一致しないと判別した場合、その旨および一時記憶された条件・単価に関する情報を単価テーブル選択受付手段４０８に送信する（図５：Ｓ１１１ＮＯ）。
【００６５】
上記旨および情報を受信した単価テーブル選択受付手段４０８は、当該情報に基づいて、複合機１００の単価テーブルと課金装置２００の単価テーブルとを表示する単価テーブル画面をタッチパネル上に表示する（図５：Ｓ１１３）。
【００６６】
単価テーブル画面には、図７Ｄに示すように、ユーザに単価テーブルの選択を促すメッセージ７０２と、複合機の単価テーブル７０３と、課金装置の単価テーブル７０４と、「複合機の単価テーブル」ボタン７０５と、「課金装置の単価テーブル」ボタン７０６と、「ＯＫ」ボタン７０７とが表示される。単価テーブルが表示される際には、記憶されている条件と単価とを表示するとともに、先ほど受信した情報に基づいて、複合機の単価テーブルと課金装置の単価テーブルとの相互に一致しない条件・単価の背景色を白色から灰色へ変更して表示する。上記構成により、ユーザは一致しない条件・単価を一目で確認することが可能となる。なお、上記「複合機の単価テーブル」ボタン７０５または「課金装置の単価テーブル」ボタン７０６を押下すると、そのボタンに表示された単価テーブルを選択することが可能となる。
【００６７】
なお、上記単価テーブル画面を表示する前に、複合機１００を管理する管理者に連絡を取ることを促すメッセージ「管理者を呼んでください」を表示して、管理者を呼んで、その管理者にのみ当該単価テーブル画面を見るよう構成しても構わない。その場合、管理者の操作によって単価テーブル画面が表示される。
【００６８】
ユーザ（管理者）が、単価テーブル画面を見ながら、「複合機の単価テーブル」ボタン７０５を押下すると、単価テーブル選択受付手段４０８が、複合機１００の単価テーブルの選択を受け付け、「複合機の単価テーブル」ボタン７０５の背景色を灰色で表示する（図５：Ｓ１１４）。
【００６９】
続けて、ユーザが「ＯＫ」ボタン７０７を押下すると、単価テーブル選択受付手段４０８が、複合機１００の単価テーブルに選択された旨を単価テーブル変更手段４０９に送信する。すると、単価テーブル変更手段４０９は、課金装置通信手段４０１を介して、課金装置２００の第一の単価テーブル記憶手段４０３を参照し、そこに記憶されている課金装置２００の単価テーブルを複合機１００の単価テーブルと同一の単価テーブルに書き換え・変更する。（図５：Ｓ１１５）
変更が終了すると、単価テーブル変更手段４０８は、その旨を初期受付手段４０５に送信し、初期受付手段４０５は、金員投入画面を表示することとなる（図５：Ｓ１１２）。
【００７０】
例えば、ユーザが金員投入画面を見ながら、課金装置２００のコイン投入口２０１に金員を投入すると、金員情報管理手段４０６が、初期受付手段４０５へ所定の信号を送信し、初期受付手段４０５は、初期画面をタッチパネル上に表示し、通常の複合機の処理提供可能な状態へと移行することとなる。
【００７１】
このように、ユーザにより複合機と課金装置とが通信可能になった際に、課金装置の単価テーブルと複合機の単価テーブルとに記憶されたそれぞれの条件および単価が全て一致するか否かを判別し、複合機の単価テーブルと課金装置の単価テーブルとの相互間に一致しない条件または単価が判別された場合、複合機の単価テーブルと課金装置の単価テーブルのうち、いずれか一方の単価テーブルの選択をユーザから受け付け、受け付けた一方の単価テーブルと同一の単価テーブルに、他方の単価テーブルを変更するよう構成している。
【００７２】
これにより、複合機の単価テーブルまたは課金装置の単価テーブルのうち、一方を変更・更新し損ねた場合であっても、複合機と課金装置とが通信可能となった際に、随時単価テーブルの変更・更新を判別し、その変更・更新された場合にユーザに単価テーブルを統一するよう受け付けるため、単価テーブル相互の不一致を防止することが可能となる。その結果、不一致状態の放置を防止し、その不一致状態から生じるトラブル等を排除することが可能となる。
【００７３】
＜第二の実施形態＞
次に図８、図９を参照しながら、第二の実施形態の複合機１００が、課金単価の不一致を防止する手順について説明する。第一の実施形態と比較して、第二の実施形態の異なる点は、複合機の単価テーブルの変更をユーザから受け付け、複合機の単価テーブルが変更された際に、その複合機の単価テーブルと課金装置の単価テーブルとに記憶されたそれぞれの条件および単価が全て一致するか否かを判別するよう構成した点である。その他の点については、第一の実施形態と同様であるため、第一の実施の形態の説明において用いた図面（図１乃至図７）も適宜参照しながら、第二の実施形態について説明する。図８は、第二の実施形態の複合機１００の機能ブロック図である。図９は、第二の実施形態の複合機１００の動作を示すためのフローチャートである。
【００７４】
まず、ユーザが、複合機１００と課金装置２００とに電源を投入し、所定の金員を課金装置のコイン投入口２０１に金員を投入すると、金員情報管理手段４０６が、初期受付手段４０５へ所定の信号を送信し、初期受付手段４０５は、初期画面をタッチパネル上に表示し、通常の複合機の処理提供可能な状態へと移行する（図９：Ｓ２０１）。
【００７５】
初期画面が表示された際に、ユーザが複合機１００のカバーの裏に備えられた管理者のみが操作可能な設定変更ボタン（図示しない）を押下すると、図１０Ｅに示すように、コピーサービスの設定を行なうための通常の項目の他に、「単価設定変更」ボタン１００１が初期画面に表示される。そこで、ユーザが「単価設定変更」ボタン１００１を押下すると、単価テーブル変更受付手段８０１が初期画面から単価テーブル変更受付画面に切り換え表示する（図９：Ｓ２０２）。
【００７６】
単価テーブル変更受付画面には、図１０Ｆに示すように、単価テーブルのうち変更させたい条件または単価の選択を促すメッセージ１００２と、現時点において第二の単価テーブル記憶手段４０４に記憶されている複合機１００の単価テーブル１００３と、条件のうちモノクロ等の画質に関する詳細項目を表示する画質条件項目１００４と、条件のうちＡ３等の用紙のサイズに関する詳細項目を表示する用紙条件項目１００５と、単価の詳細を表示する単価項目１００６と、追加項目１００７と、削除項目１００８と、「戻る」ボタン１００９と、「変更決定」ボタン１０１０と、「ＯＫ」ボタン１０１１とが表示される。
【００７７】
例えば、ユーザが、表示された複合機１００の単価テーブルのうち、一の条件１０１２をタッチペン２１２等で最初に押下して、画質条件項目１００４を押下すると、単価テーブル変更受付手段８０１は、その画質条件項目１００４に関連付けられた詳細項目である「モノクロ」ボタン１０１３、「カラー」ボタン１０１４、「その他の条件」ボタン１０１５を表示する。続いて、ユーザが「モノクロ」ボタン１０１３を押下すると、一の条件１０１２に「モノクロ」ボタン１０１３が選択されることとなる。なお、用紙条件項目および単価項目も同様である。
【００７８】
ユーザが、例えば、一の条件に「モノクロ」と「Ｂ６」とを選択し、その条件に単価「２０」を選択して、「変更決定」１０１０ボタンを押下すると、単価テーブル変更受付手段８０１は、変更前の条件・単価と、変更後の条件・単価とを単価テーブル変更手段４０９に送信し、単価テーブル変更手段４０９は、第二の単価テーブル記憶手段に記憶された複合機の単価テーブルを、受信した条件・単価に従って変更する（図９：Ｓ２０３）。
【００７９】
さらに、単価テーブル変更受付手段８０１は、単価テーブル判別手段４０２に、複合機１００の単価テーブルと課金装置２００の単価テーブルとが全て一致するか否かを判別する旨の信号を送信する。信号を受信した単価テーブル判別手段は、第一の実施形態と同様の検索、比較処理（Ａ）を実行する（図９：Ｓ２０４）。
【００８０】
上記検索、比較処理を完了した結果、単価テーブル判別手段４０２が、課金装置の単価テーブルと複合機の単価テーブルとは一致すると判別した場合、初期受付手段４０５は、タッチパネル２１１上に、単価テーブル相互一致の確認を示すメッセージ「複合機と課金装置の単価テーブルは相互に一致しています」を表示した確認画面を表示する（図９：Ｓ２０５ＹＥＳ→Ｓ２０６）。ユーザは、確認画面にて確認した後、その確認画面に表示された「ＯＫ」ボタンを押下すると、初期受付手段４０５は初期画面を表示することとなる（図９：Ｓ２０７）。
【００８１】
一方、単価テーブル判別手段４０２が、課金装置２００の単価テーブルと複合機１００の単価テーブルとが相互に一致しないと判別した場合、第一の実施形態と同様に、単価テーブル選択受付手段４０８は、単価テーブル画面（図７Ｄ）をタッチパネル上に表示して所定の単価テーブルの選択をユーザから受け付け、単価テーブル変更手段４０９は、ユーザから受け付けた単価テーブルと同一の単価テーブルに、他の単価テーブルを変更する（図９：Ｓ２０５ＮＯ→Ｓ２０８→Ｓ２０９）。
【００８２】
変更が終了すると、初期受付手段４０５は、タッチパネル２１１上に上述した確認画面を表示するため、ユーザは「ＯＫ」ボタンを押下して、当該確認画面を初期画面へ切り換え表示する（図９：Ｓ２０６→Ｓ２０７）。
【００８３】
このように、複合機の単価テーブルの変更をユーザから受け付け、複合機の単価テーブルが変更された際に、その複合機の単価テーブルと課金装置の単価テーブルとに記憶されたそれぞれの条件および単価が全て一致するか否かを判別するよう構成することができる。
【００８４】
これにより、複合機の単価テーブルの変更と対応させて、課金装置の単価テーブルと一致するか否かを判別するため、一方の単価テーブルを変更・更新し損ねるという可能性を排除し、単価テーブルの不一致状態から生じるトラブルを一切排除することが可能となる。また、変更・更新を実行するサービスマンの手間等を解消することも可能となる。
【００８５】
＜第三の実施形態＞
次に図１１、図１２を参照しながら、第三の実施形態の複合機１００が、課金単価の不一致を防止する手順について説明する。第一の実施形態と比較して、第三の実施形態の異なる点は、課金装置の単価テーブルがユーザにより変更されたことを検知し、課金装置の単価テーブルの変更が検知された際に、複合機の単価テーブルと、変更された課金装置の単価テーブルとに記憶されたそれぞれの条件および単価が全て一致するか否かを判別するよう構成した点である。その他の点については、第一の実施形態と同様であるため、第一の実施の形態の説明において用いた図面（図１乃至図７）も適宜参照しながら、第三の実施形態について説明する。図１１は、第三の実施形態の複合機１００の機能ブロック図である。図１２は、第三の実施形態の複合機１００の動作を示すためのフローチャートである。
【００８６】
複合機１００と課金装置２００とに電源が投入された状態において、まず、ユーザが例えば単価テーブルを記憶した記録メディアを、図示しない課金装置２００に備えられた記録メディア挿入口へ挿入すると、記録メディアから単価テーブルが抽出され、課金装置２００の第一の単価テーブル記録手段４０３に記録された単価テーブルが、抽出された単価テーブルへ書き換え・変更される（図１２：Ｓ３０１）。
【００８７】
課金装置２００の単価テーブルが変更されると、単価テーブル変更検知手段１１０１が、課金装置通信手段４０１を介して、その変更を検知し、課金装置２００の単価テーブルが変更された旨の信号を単価テーブル判別手段４０２に送信する（図１２：Ｓ３０２）。
【００８８】
信号を受信した単価テーブル判別手段４０２は、第一の実施形態と同様の検索、比較処理（Ａ）を実行する（図１２：Ｓ３０３）。
【００８９】
上記検索、比較処理を完了した結果、単価テーブル判別手段４０２が、課金装置２００の単価テーブルと複合機１００の単価テーブルとは一致すると判別した場合、初期受付手段４０５は、タッチパネル２１１上に確認画面を表示し、ユーザに単価テーブル相互の一致を確認してもらうこととなる（図１２：Ｓ３０４ＹＥＳ→Ｓ３０５）。
【００９０】
一方、単価テーブル判別手段４０２が、課金装置２００の単価テーブルと複合機１００の単価テーブルとが相互に一致しないと判別した場合、第一の実施形態と同様に、単価テーブル選択受付手段４０８は、単価テーブル画面を表示して所定の単価テーブルの選択を受け付け、単価テーブル変更手段４０９は、受け付けた単価テーブルと同一の単価テーブルに、他の単価テーブルを変更する（図１２：Ｓ３０４ＮＯ→Ｓ３０６→Ｓ３０７）。
【００９１】
変更が終了すると、初期受付手段４０５は上述した確認画面を表示し、ユーザに単価テーブル相互一致の確認を促す（図１２：Ｓ３０５）。
【００９２】
このように、課金装置の単価テーブルがユーザにより変更されたことを検知し、課金装置の単価テーブルの変更が検知された際に、複合機の単価テーブルと、変更された課金装置の単価テーブルとに記憶されたそれぞれの条件および単価が全て一致するか否かを判別するよう構成することができる。
【００９３】
これにより、課金装置の単価テーブルの変更と対応させて、複合機の単価テーブルと一致するか否かを判別するため、第二の実施形態と同様、一方の単価テーブルを変更・更新し損ねるという可能性を排除することが可能となる。
【００９４】
なお、第一の実施形態乃至第三の実施形態では、単価テーブル判別手段が課金装置の単価テーブルと複合機の単価テーブルとが相互に一致しないと判別した場合、単価テーブル選択受付手段が、ユーザによる単価テーブルの選択を受け付けて、ユーザの意図に沿って単価テーブルを変更するよう構成したが、他の方法によって、単価テーブルの選択を受け付けるよう構成しても構わない。
【００９５】
例えば、ユーザが予め所定の装置の単価テーブルを受け付けるよう選択・設定する単価テーブル選択設定手段を新たに設け、単価テーブル相互に一致しないと判別した場合、その選択・設定された所定の装置の単価テーブルに、他の装置の単価テーブルを自動的に一致させるよう構成しても構わない。上記構成とすると、ユーザが所定の単価テーブルを選択する必要がなくなるとともに、常に選択・設定された所定の装置の単価テーブルに、他の単価テーブルを統一させることが出来るため、単価テーブル変更時に生じる誤解や勘違いを排除することが可能となる。
【００９６】
さらに、第一の実施形態乃至第三の実施形態では、単価テーブル変更受付手段が、ユーザによる単価テーブルの選択を受け付けたが、他の構成として、単価テーブル変更受付手段を、ユーザによって変更された単価テーブルを、そのまま他の単価テーブルを変更させる基準の単価テーブルとして受け付けるよう構成しても構わない。上記構成とすると、変更された単価テーブルに、他の単価テーブルを全て一致させるよう単価テーブル変更手段が変更するため、例えば、ユーザは、複合機または課金装置のうち、どちらか一方の単価テーブルを変更すれば、その変更した単価テーブルに他の単価テーブルを自動的に一致させることが可能となる。その結果、一方の単価テーブルを変更・更新し損ねるという可能性を一層排除することが可能となる。
【００９７】
また、第一の実施形態乃至第三の実施形態では、単価テーブル判別手段は、複合機と課金装置との通信可能時や一方の単価テーブル変更時に、判別するよう構成したが、他のタイミングによって、判別するよう構成しても構わない。例えば、所定時間を計測する計測手段を新たに設け、所定時間経過後に単価テーブル判別手段を判別させるよう構成しても構わない。
【００９８】
また、第二の実施形態乃至第三の実施形態では、単価テーブル変更受付手段または記録メディアによって、記憶された単価テーブルを変更するよう構成したが、他の方法によって変更するよう構成しても構わない。例えば、単価テーブルを記憶する記憶手段と通信可能な通信手段によって変更しても構わないし、当該記憶手段と接続可能なパーソナルコンピュータ等の入力手段によって変更しても構わない。さらに、課金装置は、新たにタッチパネル等を設けるよう構成して、そのタッチパネルの操作によって変更するよう構成しても構わない。
【００９９】
また、第二の実施形態乃至第三の実施形態では、何人も、記憶された単価テーブルを変更するよう構成したが、さらに、変更時にパスワード等の識別情報の入力を求める変更許可手段を設け、その変更許可手段が、特定の識別情報の入力を行なったユーザ等の変更のみを許可するよう構成しても構わない。上記構成とすると、容易に単価テーブルが変更されることがないため、セキュリティー上極めて安全となる。
【０１００】
また、第二の実施形態乃至第三の実施形態では、何人も、記憶された単価テーブルを変更するよう構成したが、さらに、変更時にＩＤカードや指紋等の取得によって特定のユーザを認証可能とする認証手段を備え、その認証手段が特定のユーザの変更のみを許可するよう構成しても構わない。上記構成とすると、上記と同様、容易に単価テーブルが変更されることがないため、セキュリティー上極めて安全となる。
【０１０１】
また、第一の実施形態乃至第三の実施形態では、単価テーブル判別手段が、課金装置の単価テーブルと自装置の単価テーブルとに記憶されたそれぞれの条件および単価が全て一致するか否かを判別するよう構成したが、場合によっては、ユーザにより選択された条件および単価が単価テーブル相互で一致するか否かを判別するよう構成しても構わない。
【０１０２】
また、第一の実施形態乃至第三の実施形態では、単価テーブル判別手段がそれぞれ個別のタイミング（例えば、複合機と課金装置との通信可能時、複合機の単価テーブル変更時、課金装置の単価テーブル変更時等）によって、判別するよう構成したが、ユーザによりそのタイミングを選択・設定可能とする選択設定手段を設けて、判別するタイミングをユーザの選択・設定によって制御するよう構成しても構わない。さらに、第一の実施形態乃至第三の実施形態における上記各手段を所定の手段のみ組み合せて構成しても、または全ての手段を備えるよう構成しても構わない。
【０１０３】
また、第一の実施形態乃至第三の実施形態での単価テーブルには、複合機が提供可能な処理に関する条件として、画質条件と用紙条件とを採用したが、いずれか一方のみの条件でもよいし、さらに処理に関する他の条件（例えば、記録時の日付、単価テーブルのシリアルナンバー等）を追加して、それを判別の基準としても構わない。
【０１０４】
また、第一の実施形態乃至第三の実施形態では、有価物として硬貨等を前提としているが、有価物として紙幣やクレジットカード、ポイントカード等に硬貨を代替してもよいことは言うまでもない。
【０１０５】
また、第一の実施形態乃至第三の実施形態では、複合機と課金装置が各手段を備えるよう構成したが、当該各手段を実現するプログラムを記憶媒体に記憶させ、当該記憶媒体を提供するよう構成しても構わない。上記構成では、上記プログラムを、例えば複合機に読み出させ、その複合機が上記各手段を実現する。その場合、上記記録媒体から読み出されたプログラム自体が本発明の作用効果を奏する。さらに、各手段が実行するステップをハードディスクに記憶させる記憶方法として提供することも可能である。
【０１０６】
また、本発明の実施形態では、コピーサービスに関して採用したが、例えば、ファクシミリサービス、スキャナサービス、プリンタサービス、ネットワークスキャンサービス後処理サービス等にも採用することができる。
【産業上の利用可能性】
【０１０７】
以上のように、本発明に係る画像形成装置は、複写機、プリンタ、スキャナ、複合機等に有用であり、課金単価の不一致を防止することが可能な画像形成装置として有効である。
【図面の簡単な説明】
【０１０８】
【図１】課金装置が接続された複合機の概略模式図である。
【図２】複合機に係る操作部の全体構成を示す概念図である。
【図３】複合機に係る発明の制御系ハードウェアの構成を示す図である。
【図４】第一の実施形態における複合機の機能ブロック図である。
【図５】第一の実施形態の実行手順を示すためのフローチャートである。
【図６】第一の実施形態に係る単価テーブルの一例を示す図である。
【図７】第一の実施形態に係るタッチパネル上に表示された画面を示す図である。
【図８】第二の実施形態における複合機の機能ブロック図である。
【図９】第二の実施形態の実行手順を示すためのフローチャートである。
【図１０】第二の実施形態に係るタッチパネル上に表示された画面を示す図である。
【図１１】第三の実施形態における複合機の機能ブロック図である。
【図１２】第三の実施形態の実行手順を示すためのフローチャートである。
【符号の説明】
【０１０９】
１００  複合機
１０２  操作部
２００  課金装置
２１１  タッチパネル
２１２  タッチペン
２１３  操作キー
４０１  課金装置通信手段
４０２  単価テーブル判別手段
４０３  第一の単価テーブル記憶手段
４０４  第二の単価テーブル記憶手段
４０５  初期受付手段
４０６  金員情報管理手段
４０７  処理提供手段
４０８  単価テーブル選択受付手段
４０９  単価テーブル変更手段
８０１  単価テーブル変更受付手段
１１０１  単価テーブル変更検知手段
【図１】
2009233940.tif 000003
【図２】
2009233940.tif 000004
【図３】
2009233940.tif 000005
【図４】
2009233940.tif 000006
【図５】
2009233940.tif 000007
【図６】
2009233940.tif 000008
【図７】
2009233940.tif 000009
【図８】
2009233940.tif 000010
【図９】
2009233940.tif 000011
【図１０】
2009233940.tif 000012
【図１１】
2009233940.tif 000013
【図１２】
2009233940.tif 000014